(57)【要約】【課題】内部に発生する振動に起因してビビリ音が発生するのを抑制することが可能な電子機器を提供する。【解決手段】このディスクプレーヤ１００（電子機器）は、絞り部１ｉを含むシャーシ１と、電源基板２１が保持され、シャーシ１の絞り部１ｉと対向した状態で固定される座部４０ｃを含むホルダ部材４０とを備える。そして、ホルダ部材４０は、平面的に見て、座部４０ｃおよびシャーシ１の絞り部１ｉを取り囲むようにホルダ部材４０と一体的に設けられたリブ４１をさらに含む。そして、リブ４１は、座部４０ｃが絞り部１ｉに固定された際、シャーシ１の絞り部１ｉの近傍領域においてシャーシ１の上面１ｅを押圧した状態で、ホルダ部材４０の下面４０ｂがシャーシ１の上面１ｅから離間するようにホルダ部材４０を支持する。【選択図】図５
2011154753.tif 000002
【特許請求の範囲】
【請求項１】
第１取付部を含むシャーシと、
電子部品が保持され、前記シャーシの第１取付部と対向した状態で固定される第２取付部を含むホルダ部材とを備え、
前記ホルダ部材は、平面的に見て、前記ホルダ部材の第２取付部および前記シャーシの第１取付部を取り囲むように前記ホルダ部材と一体的に設けられた支持部をさらに含み、
前記支持部は、前記ホルダ部材の第２取付部が前記シャーシの第１取付部に固定された際、前記シャーシの第１取付部の近傍領域において前記シャーシの上面を押圧した状態で、前記ホルダ部材の下面が前記シャーシの上面から離間するように前記ホルダ部材を支持するように構成されている、電子機器。
【請求項２】
前記ホルダ部材の第２取付部は、前記ホルダ部材の下面の一部を前記シャーシに向かって突出させることにより形成されており、
前記支持部は、平面的に見て、前記ホルダ部材の第２取付部の外縁部領域に沿うように設けられており、
前記ホルダ部材の前記支持部が、前記第２取付部の外縁部領域と対向する前記シャーシの第１取付部の近傍領域の上面を押圧することにより、前記ホルダ部材が前記支持部により支持されるように構成されている、請求項１に記載の電子機器。
【請求項３】
前記第１取付部は、前記シャーシの上面から前記ホルダ部材に向かって突出するように形成されており、
前記シャーシの第１取付部と前記ホルダ部材の第２取付部とが当接した状態で、前記支持部が前記第２取付部と対向する前記第１取付部の外縁部領域を押圧することにより、前記ホルダ部材が前記支持部により支持されるように構成されている、請求項２に記載の電子機器。
【請求項４】
前記ホルダ部材の下面から突出する前記支持部の前記シャーシ側の先端部が、前記シャーシの上面と線接触した状態で前記シャーシの上面を押圧することにより、前記ホルダ部材が前記支持部により支持されるように構成されている、請求項１〜３のいずれか１項に記載の電子機器。
【請求項５】
前記支持部の前記シャーシ側の先端部は、断面形状が略円弧形状に形成されることにより、前記シャーシの上面に対して線接触するように構成されている、請求項４に記載の電子機器。
【請求項６】
前記シャーシに取り付けられた振動を伴う機器をさらに備え、
前記ホルダ部材は、前記振動を伴う機器が取り付けられた領域と隣接する前記シャーシの領域において、前記支持部により、前記ホルダ部材の下面が前記シャーシの上面から離間した状態で支持されている、請求項１〜５のいずれか１項に記載の電子機器。
【請求項７】
前記ホルダ部材は、樹脂製であり、前記支持部は、前記ホルダ部材の下面から前記シャーシに向かって突出するように、前記ホルダ部材と一体的に形成されている、請求項１〜６のいずれか１項に記載の電子機器。
【請求項８】
前記支持部は、前記下面からリブ状に突出して形成されるとともに、前記支持部は、平面的に見て、前記ホルダ部材の第２取付部を環状に取り囲むように形成されており、
前記支持部が前記シャーシの第１取付部の近傍領域を環状に取り囲んだ状態で前記シャーシの上面を押圧することにより、前記ホルダ部材が前記支持部により支持されるように構成されている、請求項７に記載の電子機器。
【請求項９】
前記シャーシの第１取付部は、第１取付孔を有するとともに、前記ホルダ部材の第２取付部は、前記第１取付孔と連通する第２取付孔を有し、
前記第１取付孔と前記第２取付孔とに挿入して前記シャーシの第１取付部に対して前記ホルダ部材の第２取付部を固定するためのネジ部材をさらに備え、
前記ホルダ部材の第２取付部は、前記第２取付孔の近傍領域に設けられ、前記ホルダ部材の第２取付部を前記シャーシの第１取付部に前記ネジ部材を用いて取り付ける際に、前記シャーシに対して前記ホルダ部材の位置決めを行うための位置決め部をさらに有する、請求項１〜８のいずれか１項に記載の電子機器。
【請求項１０】
前記第２取付部および前記支持部は、平面的に見て、前記第２取付孔および前記位置決め部を結ぶ方向に沿って延びる環形状を有する、請求項９に記載の電子機器。
【請求項１１】
前記ホルダ部材の第２取付部は、複数設けられており、
複数の前記第２取付部は、前記ホルダ部材の下面の一方側の端部領域に設けられた一方側取付部と、前記ホルダ部材の下面の他方側の端部領域に設けられた他方側取付部とを含み、
前記支持部は、前記一方側取付部および前記他方側取付部の各々の近傍領域に設けられている、請求項１〜１０のいずれか１項に記載の電子機器。
【請求項１２】
前記シャーシに取り付けられ、振動を伴う機器としてのディスク駆動部をさらに備え、
前記電子部品としての電源基板が前記ホルダ部材の上面上に保持され、
前記ホルダ部材は、前記シャーシの前記ディスク駆動部が取り付けられる領域と隣接する領域において、前記支持部により、前記ホルダ部材の下面が前記シャーシの上面から離間した状態で支持されている、請求項１〜１１のいずれか１項に記載の電子機器。
【発明の詳細な説明】
【技術分野】
【０００１】
この発明は、電子機器に関し、特に、シャーシを備えた電子機器に関する。
【背景技術】
【０００２】
従来、シャーシを備えた電子機器などが知られている（たとえば、特許文献１〜４参照）。
【０００３】
上記特許文献１には、弾性材からなるキャビネットと、キャビネットの内底面上に固定されたシャーシと、シャーシ上に載置されたデッキメカニズム（振動を発する駆動機構）とを備えたキャビネット装置（電子機器）が開示されている。このキャビネット装置では、シャーシに、キャビネットの内底面に向かって段差を有して突出する絞り部が形成されている。そして、絞り部の外表面（凸状面）と、絞り部に対向するキャビネットの内底面（固定部）とを当接させてネジ部材を用いて固定することにより、絞り部が形成されていないシャーシの下面が、キャビネットの内底面から離間した状態で保持されるように構成されている。なお、キャビネットの内底面には、シャーシの絞り部に対向する固定部から離れた位置において、シャーシに向かって延びる取付ボスが別途形成されており、シャーシが、別なネジ部材を用いて取付ボスにネジ留めされるように構成されている。
【０００４】
また、上記特許文献２には、板金製のシャーシと、シャーシの下面を装置外部の下方から支持する脚本体とを備えたシャーシ装置および精密機器（電子機器）が開示されている。この精密機器を構成するシャーシ装置では、シャーシに、下面の一部が外部に向かって段差を有して突出する絞り部が形成されている。そして、絞り部の外表面（凸状面）と、絞り部に対向して配置された脚本体とを当接させてネジ部材を用いて固定することにより、絞り部が形成されていないシャーシの下面と脚本体との間に隙間が設けられるように構成されている。なお、脚本体とシャーシとの隙間に、別途、脚本体側に接着剤などにより固着された防振ゴムが配置されることにより、シャーシから脚本体へ伝わる振動が吸収されるように構成されている。
【０００５】
また、上記特許文献３には、装置の筐体を構成するメインシャーシと、メインシャーシの内底面上に所定の距離を隔てて配置されたサブシャーシと、サブシャーシ内に搭載されるディスク駆動手段および情報記録再生手段とを備えた情報記録再生装置（電子機器）が開示されている。この情報記録再生装置では、メインシャーシに、筐体内部（サブシャーシ側）に向かって段差を有して突出する絞り部が形成されている。そして、絞り部の外表面（凸状面）と絞り部に対向するサブシャーシの外表面との間に、移動部材（第１の移動部材）および移動部材に同軸方向に挿入された圧縮バネを共に挟み込むことにより、メインシャーシに対してサブシャーシが所定の隙間を有した状態で振動吸収可能に保持されるように構成されている。なお、サブシャーシには、メインシャーシの絞り部に対向する外表面から離れた位置において、メインシャーシに向かって延びる支持部材が別部材として設けられており、支持部材のメインシャーシ側の先端部（端面）が、メインシャーシの内底面に当接するように構成されている。
【０００６】
また、上記特許文献４には、ボス部を有する筐体と、筐体内部に配置される矩形状のメカシャーシと、メカシャーシに組み込まれた駆動機構とを備えたディスクプレーヤ（電子機器）の緩衝機構が開示されている。このディスクプレーヤの緩衝機構では、メカシャーシの４隅に切り欠き部が形成されている。そして、筐体内部に突出するボス部の先端部が、メカシャーシの切り欠き部に弾性部材からなる緩衝部材を介して挿入された後、抜け防止のワッシャを介してネジ部材を締め込むことにより、切り欠き部に緩衝部材が保持されるように構成されている。これにより、メカシャーシが、筐体の内底面に対して所定の間隔を隔てて振動吸収可能に保持されるように構成されている。
【先行技術文献】
【特許文献】
【０００７】
【特許文献１】特許第３１３２２３７号公報
【特許文献２】特許第３５２４１２１号公報
【特許文献３】特許第３６８４７１０号公報
【特許文献４】特開平６−２１５５５１号公報
【発明の概要】
【発明が解決しようとする課題】
【０００８】
しかしながら、上記特許文献１に記載のキャビネット装置では、シャーシをキャビネットの内底面上に固定する際、シャーシのキャビネット側に突出する絞り部の外表面（凸状面）や、絞り部と対向する固定部から離れた位置においてシャーシに向かって延びる取付ボスの部分で、シャーシとキャビネットとが互いに固定される構成である一方、絞り部近傍の絞り部が形成されていないシャーシの下面や、取付ボス近傍でのシャーシの下面には、キャビネットの内底面とシャーシの下面との離間状態を維持するための構成が何ら開示も示唆もされていない。このため、たとえば、デッキメカニズムの振動に起因して個々のネジ部材が緩み始めて、シャーシの絞り部におけるキャビネットとの固定状態や、取付ボスにおけるキャビネットとの固定状態が不完全になると、シャーシがキャビネットに対してがたつく場合があるという不都合がある。この場合、デッキメカニズムの発する振動に伴い、キャビネットに対するシャーシのがたつきに起因してビビリ音が発生するという問題点がある。
【０００９】
また、上記特許文献２に記載のシャーシ装置では、シャーシの下面に脚本体が取り付けられる際、シャーシの外部に突出する絞り部の外表面（凸状面）のみが脚本体に当接する構成である一方、絞り部が形成されていないシャーシの下面には、下面と脚本体との離間状態を維持するための構成が何ら開示も示唆もされていない。また、シャーシの絞り部が形成されていない下面と脚本体との隙間に挿入された防振ゴムは、上面（シャーシに対向する側の表面）が単にシャーシの下面に接触するのみの構成であると考えられる。このため、たとえば、内部機器（駆動機構など）の振動に起因してネジ部材が緩み始めて、シャーシの絞り部における脚本体との固定状態が不完全になると、シャーシが脚本体に対してがたつく場合があるという不都合がある。この場合、内部機器の発する振動に伴い、脚本体に対するシャーシのがたつきに起因してビビリ音が発生するという問題点がある。
【００１０】
また、上記特許文献３に記載の情報記録再生装置では、サブシャーシがメインシャーシの内底面上に配置される際、メインシャーシの絞り部とサブシャーシの外表面とが対向する位置に単に圧縮バネが挟み込まれるとともに、メインシャーシの絞り部から離れた位置においてメインシャーシに向かって延びる支持部材が、メインシャーシの内底面に当接する構成であると考えられる。このため、たとえば、不意な衝撃やディスク駆動手段の振動などに起因して圧縮バネが抜け落ちて、メインシャーシの絞り部におけるサブシャーシとの接続状態が不完全になると、サブシャーシがメインシャーシに対してがたつく場合があるという不都合がある。この場合、ディスク駆動手段の発する振動に伴い、サブシャーシに対するメインシャーシのがたつきに起因してビビリ音が発生するという問題点がある。
【００１１】
また、上記特許文献４に記載のディスクプレーヤの緩衝機構では、メカシャーシが筐体に取り付けられる際、メカシャーシの４隅が緩衝部材を介してボス部に取り付けられる構成である一方、切り欠き部が形成されていない下面には、メカシャーシの下面と筐体の内底面との離間状態を維持するための構成が何ら開示も示唆もされていない。また、ボス部とメカシャーシとの間に嵌め込まれた緩衝部材は、外側面が、単にメカシャーシの表面（メカシャーシの切り欠き部近傍に対向する表面）に接触している構成であると考えられる。このため、たとえば、内部機器（駆動機構など）の振動に起因してネジ部材が緩み始めて、緩衝部材のボス部に対する保持状態が不完全になると、緩衝部材とメカシャーシとの接触状態も不完全となり、メカシャーシがボス部（筐体）に対してがたつく場合があるという不都合がある。この場合、内部機器の発する振動に伴い、メカシャーシと筐体とのがたつきに起因したビビリ音が発生するという問題点がある。
【００１２】
この発明は、上記のような課題を解決するためになされたものであり、この発明の１つの目的は、内部に発生する振動に起因してビビリ音が発生するのを抑制することが可能な電子機器を提供することである。
【課題を解決するための手段および発明の効果】
【００１３】
この発明の一の局面による電子機器は、第１取付部を含むシャーシと、電子部品が保持され、シャーシの第１取付部と対向した状態で固定される第２取付部を含むホルダ部材とを備え、ホルダ部材は、平面的に見て、ホルダ部材の第２取付部およびシャーシの第１取付部を取り囲むようにホルダ部材と一体的に設けられた支持部をさらに含み、支持部は、ホルダ部材の第２取付部がシャーシの第１取付部に固定された際、シャーシの第１取付部の近傍領域においてシャーシの上面を押圧した状態で、ホルダ部材の下面がシャーシの上面から離間するようにホルダ部材を支持するように構成されている。
【００１４】
この発明の一の局面による電子機器では、上記のように、ホルダ部材が、平面的に見て、ホルダ部材の第２取付部およびシャーシの第１取付部を取り囲むようにホルダ部材と一体的に設けられた支持部を含み、支持部を、ホルダ部材の第２取付部がシャーシの第１取付部に固定された際、シャーシの第１取付部の近傍領域においてシャーシの上面を押圧した状態で、ホルダ部材の下面がシャーシの上面から離間するようにホルダ部材を支持するように構成することによって、ホルダ部材を、第２取付部を介してシャーシの第１取付部に固定するのと同時に、第２取付部を取り囲むように設けられた支持部が、対向する第１取付部を取り囲みながら第１取付部近傍のシャーシの上面と確実に接触した状態となって配置させることができる。すなわち、ホルダ部材は、支持部がシャーシの上面から常に反力を受けながら第２取付部により保持されるので、第２取付部およびその周辺領域において、ホルダ部材をシャーシに対してがたつくことなく固定させることができるとともに、第２取付部を固定するネジ部材を緩みにくくすることができる。これにより、ホルダ部材が、シャーシに対する固定箇所およびその近傍領域においてシャーシに対してがたつかないので、電子機器内に発生する振動に伴い、シャーシとホルダ部材とのがたつきに起因したビビリ音などが発生するのを抑制することができる。
【００１５】
上記一の局面による電子機器において、好ましくは、ホルダ部材の第２取付部は、ホルダ部材の下面の一部をシャーシに向かって突出させることにより形成されており、支持部は、平面的に見て、ホルダ部材の第２取付部の外縁部領域に沿うように設けられており、ホルダ部材の支持部が、第２取付部の外縁部領域と対向するシャーシの第１取付部の近傍領域の上面を押圧することにより、ホルダ部材が支持部により支持されるように構成されている。このように構成すれば、支持部がホルダ部材の第２取付部の外縁部領域に沿って設けられている分、支持部は、第２取付部に対向する第１取付部を取り囲むようにしてシャーシの上面を押圧しながらホルダ部材を支持することができるので、ホルダ部材をシャーシの上面上により安定して固定することができる。
【００１６】
この場合、好ましくは、第１取付部は、シャーシの上面からホルダ部材に向かって突出するように形成されており、シャーシの第１取付部とホルダ部材の第２取付部とが当接した状態で、支持部が第２取付部と対向する第１取付部の外縁部領域を押圧することにより、ホルダ部材が支持部により支持されるように構成されている。このように構成すれば、支持部は、ホルダ部材に向かって突出していない第１取付部の外縁部領域におけるシャーシの上面（平坦な表面）に当接しながら押圧するので、支持部により、ホルダ部材を容易にかつ安定してシャーシの上面上に支持することができる。
【００１７】
上記一の局面による電子機器において、好ましくは、ホルダ部材の下面から突出する支持部のシャーシ側の先端部が、シャーシの上面に対して線接触した状態でシャーシの上面を押圧することにより、ホルダ部材が支持部により支持されるように構成されている。このように構成すれば、支持部は、シャーシの上面に対して線接触しながらシャーシの上面を押圧することができるので、接触面積が小さくなる分、シャーシから伝わる振動を極力抑制することができる。
【００１８】
この場合、好ましくは、支持部のシャーシ側の先端部は、断面形状が略円弧形状に形成されることにより、シャーシの上面に対して線接触するように構成されている。このように構成すれば、支持部の先端部とシャーシの上面とを滑らかに接触させることができるので、シャーシまたはホルダ部材のいずれか一方の振動に起因して、支持部の先端部においてビビリ音などが発生するのを容易に抑制することができる。
【００１９】
上記一の局面による電子機器において、好ましくは、シャーシに取り付けられた振動を伴う機器をさらに備え、ホルダ部材は、振動を伴う機器が取り付けられた領域と隣接するシャーシの領域において、支持部により、ホルダ部材の下面がシャーシの上面から離間した状態で支持されている。このように構成すれば、電子機器内において、ホルダ部材の近傍領域に振動を伴う機器が配置されている場合であっても、シャーシに対してホルダ部材ががたつくことなく固定されるので、振動を伴う機器の振動に伴い、シャーシとホルダ部材とのがたつきに起因したビビリ音などが発生するのを容易に抑制することができる。
【００２０】
上記一の局面による電子機器において、好ましくは、ホルダ部材は、樹脂製であり、支持部は、ホルダ部材の下面からシャーシに向かって突出するように、ホルダ部材と一体的に形成されている。このように構成すれば、樹脂成形によりホルダ部材を形成する際に、ホルダ部材の下面から突出する支持部を、第２取付部とともに容易に形成することができる。
【００２１】
上記支持部がホルダ部材と一体的に形成される構成おいて、好ましくは、支持部は、下面からリブ状に突出して形成されるとともに、支持部は、平面的に見て、ホルダ部材の第２取付部を環状に取り囲むように形成されており、支持部がシャーシの第１取付部の近傍領域を環状に取り囲んだ状態でシャーシの上面を押圧することにより、ホルダ部材が支持部により支持されるように構成されている。このように構成すれば、支持部がホルダ部材の第２取付部を環状に取り囲んで設けられている分、支持部は、第１取付部を環状に取り囲むようにしてシャーシの上面を押圧しながらホルダ部材を支持することができるので、ホルダ部材をシャーシの上面上により安定して固定することができる。
【００２２】
上記一の局面による電子機器において、好ましくは、シャーシの第１取付部は、第１取付孔を有するとともに、ホルダ部材の第２取付部は、第１取付孔と連通する第２取付孔を有し、第１取付孔と第２取付孔とに挿入してシャーシの第１取付部に対してホルダ部材の第２取付部を固定するためのネジ部材をさらに備え、ホルダ部材の第２取付部は、第２取付孔の近傍領域に設けられ、ホルダ部材の第２取付部をシャーシの第１取付部にネジ部材を用いて取り付ける際に、シャーシに対してホルダ部材の位置決めを行うための位置決め部をさらに有する。このように構成すれば、ホルダ部材の第２取付部には、第２取付孔のみならず位置決め部が設けられている分、シャーシ上の所定の位置（領域）にホルダ部材を容易に取り付けることができる。
【００２３】
上記ホルダ部材の第２取付部が位置決め部を有する構成において、好ましくは、第２取付部および支持部は、平面的に見て、第２取付孔および位置決め部を結ぶ方向に沿って延びる環形状を有する。このように構成すれば、第２取付部に第２取付孔と位置決め部とが設けられている場合であっても、その分、平面形状（平面積）が大きく確保された第２取付部を取り囲むような環形状を有する支持部が形成されているので、支持部により、ホルダ部材をより確実に支持することができる。
【００２４】
上記一の局面による電子機器において、好ましくは、ホルダ部材の第２取付部は、複数設けられており、複数の第２取付部は、ホルダ部材の下面の一方側の端部領域に設けられた一方側取付部と、ホルダ部材の下面の他方側の端部領域に設けられた他方側取付部とを含み、支持部は、一方側取付部および他方側取付部の各々の近傍領域に設けられている。このように構成すれば、ホルダ部材は、複数の第２取付部の各々に対応して設けられた支持部によって支持されるので、ホルダ部材が一方側から他方側に向かって延びるような平面形状を有している場合であっても、ホルダ部材をシャーシの上面上に安定して固定することができる。
【００２５】
上記一の局面による電子機器において、好ましくは、シャーシに取り付けられ、振動を伴う機器としてのディスク駆動部をさらに備え、電子部品としての電源基板がホルダ部材の上面上に保持され、ホルダ部材は、シャーシのディスク駆動部が取り付けられる領域と隣接する領域において、支持部により、ホルダ部材の下面がシャーシの上面から離間した状態で支持されている。このように構成すれば、電子機器内において、ホルダ部材の近傍領域にディスク駆動部が配置されている場合であっても、シャーシに対してホルダ部材ががたつくことなく固定されるので、ディスク駆動部の振動がシャーシを介してホルダ部材に過剰に伝わるのが抑制される。この結果、ホルダ部材に保持される電源基板に、ディスク駆動部の振動が伝わるのを抑制することができる。
【図面の簡単な説明】
【００２６】
【図１】本発明の一実施形態によるディスクプレーヤの全体構成を示した分解斜視図である。
【図２】本発明の一実施形態によるディスクプレーヤからトップカバーを取り外して内部の機器構成を示した上面図である。
【図３】本発明の一実施形態によるディスクプレーヤを構成するホルダ部材の下面図である。
【図４】本発明の一実施形態によるディスクプレーヤを構成するシャーシの上面図である。
【図５】本発明の一実施形態によるディスクプレーヤを構成するシャーシにホルダ部材が取り付けられた状態を示した部分断面図である。
【図６】本発明の一実施形態によるディスクプレーヤを構成するシャーシにホルダ部材が取り付けられた状態を示した部分断面図である。
【図７】本発明の一実施形態によるディスクプレーヤの装置本体の構成を示したブロック図である。
【図８】本発明の第１変形例によるホルダ部材のリブ（支持部）の形状を示した上面図である。
【図９】本発明の第２変形例によるホルダ部材のリブ（支持部）の形状を示した上面図である。
【図１０】本発明の第３変形例によるホルダ部材のリブ（支持部）の形状を示した上面図である。
【図１１】本発明の第４変形例によるシャーシとホルダ部材との取付状態を示した部分断面図である。
【図１２】本発明の第５変形例によるシャーシとホルダ部材との取付状態を示した部分断面図である。
【発明を実施するための形態】
【００２７】
以下、本発明を具体化した実施形態を図面に基づいて説明する。
【００２８】
図１〜図７を参照して、本発明の一実施形態によるディスクプレーヤ１００の構成について説明する。なお、本実施形態では、本発明の電子機器の一例であるディスクプレーヤ１００に本発明を適用した場合について説明する。なお、図５は、図２の１０００−１０００線に沿った断面図であり、図６は、図２の２０００−２０００線に沿った断面図である。
【００２９】
本発明の一実施形態によるディスクプレーヤ１００は、図１に示すように、箱状の筐体１０と、筐体１０の内部に収納されるディスク駆動部２３などからなる装置本体２０とを備えている。なお、ディスク駆動部２３は、本発明の「振動を伴う機器」の一例である。
【００３０】
また、筐体１０は、板金加工された金属製のシャーシ１に対して、樹脂成形されたフロントカバー２が前側（Ｘ２側）から取り付けられるとともに、金属製のリアプレート３が後面（Ｘ１側）から取り付けられた後に、金属製（板金製）のトップカバー４を上方から被せて箱状に形成されるように構成されている。
【００３１】
また、シャーシ１は、図１および図４に示すように、装置本体２０を構成するディスク駆動部２３（図１参照）などの機能部品を載置するための底面部１ａと、底面部１ａの長手方向（Ｙ方向）の両端から上方（Ｚ１方向）に曲げ加工された側面部１ｂおよび１ｃと、底面部１ａの奥行方向（Ｘ方向）の後端部（Ｘ１側）において上方に曲げ加工された後面部１ｄ（図４参照）とを有している。また、シャーシ１は、約０．５ｍｍ以上約０．８ｍｍ以下の厚みを有している。
【００３２】
また、図４に示すように、シャーシ１の底面部１ａのうち、フロントカバー２（図２参照）が取り付けられる側（Ｘ２側）の前端部近傍には、底面部１ａの上面１ｅ（紙面手前側）から下面１ｆ（紙面奥側）に向かって突出する複数の突起部１ｇが設けられている。また、シャーシ１の側面部１ｂおよび１ｃのうち、フロントカバー２が取り付けられる側（Ｘ２側）の前端部近傍には、側面部１ｂ（１ｃ）の内側から外側に向かって突出する突起部１ｈがそれぞれ設けられている。また、突起部１ｇおよび１ｈは、共に、板金の切起こし加工により形成されている。
【００３３】
ここで、本実施形態では、図４に示すように、底面部１ａの下面１ｆから上面１ｅに向かって紙面手前（Ｚ１方向）側に凸状に突出する絞り部１ｉおよび１ｊが形成されている。また、絞り部１ｉおよび１ｊは、共に、板金のプレス絞り加工により形成されており、後述する樹脂製のホルダ部材４０（外形を２点鎖線で示す）をシャーシ１に取り付けるために設けられている。また、図５に示すように、絞り部１ｉには、ホルダ部材４０をネジ部材５０を用いてネジ留めする際に使用される取付孔１ｋと、取付孔１ｋの近傍に設けられ、上面１ｅから下面１ｆに向かって凹状に窪む位置決め穴１ｌとが形成されている。一方、図４に示すように、絞り部１ｊには、取付孔１ｋのみが形成されている。なお、絞り部１ｉおよび１ｊは、本発明の「第１取付部」の一例であり、取付孔１ｋは、本発明の「第１取付孔」の一例である。
【００３４】
また、フロントカバー２は、図１および図２に示すように、操作ボタン部２４（図１参照）やディスクトレー扉３１（図１参照）が配置される前面部２ａと、前面部２ａから後方（Ｘ１方向）に向かって延びる外側面部２ｂおよび２ｃとが一体的に形成されている。また、フロントカバー２の高さ方向（Ｚ方向）の下端部側（Ｚ２側）の外側面部２ｂには、外側面部２ｂからＸ１方向に薄板状に突出する複数（３個）の突出片２ｄ（図２に平面的な外形を破線で示す）が外側面部２ｂと一体的に形成されている。また、フロントカバー２の幅方向（Ｙ方向）の両端に位置する一対の外側面部２ｃの各々には、各々からＸ１方向に薄板状に突出するリブ２ｅ（図１参照）が外側面部２ｃと一体的に形成されている。また、複数（３個）の突出片２ｄ（図２参照）の各々には、略中央部に矩形状（正方形状）の係合穴部２ｆ（破線）が形成されている。また、同様に、リブ２ｅには、所定の領域に矩形状（正方形状）の係合穴部２ｇ（図１参照）が形成されている。ここで、図１には、Ｙ１側に設けられたリブ２ｅおよび係合穴部２ｇの様子が図示されているが、同様の構成を有するリブ２ｅおよび係合穴部２ｇが、フロントカバー２のＹ２側にもそれぞれ形成されている。
【００３５】
これにより、シャーシ１に対してフロントカバー２が取り付けられる際、フロントカバー２の突出片２ｄが、シャーシ１の底面部１ａの下面１ｆに沿ってＸ１方向にスライドされるとともに、フロントカバー２のリブ２ｅが、シャーシ１の側面部１ｂ（１ｃ）の外表面に沿ってスライドされるように構成されている。そして、フロントカバー２のスライドとともに、３つの突出片２ｄの各々の係合穴部２ｆが、対応する底面部１ａの各々の突起部１ｇに挿入されることにより、突起部１ｇと係合穴部２ｆとが係合されるように構成されている。また、この際、図２に示すように、左右（Ｙ方向）のリブ２ｅの各々の係合穴部２ｇが、対応する側面部１ｂ（１ｃ）の各々の突起部１ｈに挿入されることにより、突起部１ｈと係合穴部２ｇとが係合されるように構成されている。これにより、シャーシ１は、側面部１ｂおよび１ｃが左右（Ｙ方向）からリブ２ｅに挟み込まれるとともに、底面部１ａが下方（下面１ｆ側）から突出片２ｄによって支持された状態で、シャーシ１にフロントカバー２が固定されるように構成されている。
【００３６】
また、リアプレート３は、Ｙ方向に長い短冊状に形成されており、ディスクプレーヤ１００を他の機器と電気的に接続するための端子（図示せず）が配置される端子孔３ａ（４箇所）と、後述するホルダ部材４０を固定するための係合穴部３ｂ（２箇所）が設けられている。また、リアプレート３は、シャーシ１に対して、後ろ側（Ｘ１側）から前方（Ｘ２方向）に向かってネジ部材（図示せず）により取り付けられるように構成されている。
【００３７】
また、トップカバー４は、図１に示すように、装置本体２０を上方（Ｚ１側）から覆い隠す天面部４ａと、天面部４ａの幅方向（Ｙ方向）の両端から下方（Ｚ２方向）に丸みをおびて曲げ加工された側面部４ｂおよび４ｃとを有している。
【００３８】
また、装置本体２０は、図２および図７に示すように、内部機器に電力を供給するための電源基板２１と、電源基板２１からの電力を使用して装置本体２０の動作を制御する制御回路部２２と、ＣＤやＤＶＤなどのディスク型記録媒体３０（図２に破線で示す）の再生動作を担うディスク駆動部２３と、装置本体２０に対する操作が可能な複数（４つ）の操作ボタンからなる操作ボタン部２４（図１参照）とにより構成されている。さらには、装置本体２０の動作状態を表示する表示部２５（図１参照）と、装置本体２０に付属するリモコン機器（図示せず）からのリモコン信号（赤外線信号）を受光する赤外線受光部２６（図１参照）と、ディスク型記録媒体３０の再生動作に伴う出力を外部に出力するための外部出力部２７と、筐体１０内部に発生する熱を外部に排出するための冷却ファン２８とによって構成されている。また、電源基板２１には、外部から供給された電源電圧を調整するトランスや、コンデンサや、トランジスタや、ダイオードや、配線用コネクタなどの複数の電子部品２９（図２参照）が実装されている。なお、上記した各内部機器は、配線用ケーブルにより電気的に接続されているが、図２では、便宜的に配線ケーブルの図示を省略している。なお、冷却ファン２８は、本発明の「振動を伴う機器」の一例である。
【００３９】
また、図２に示すように、上記した制御回路部２２、ディスク駆動部２３および冷却ファン２８は、それぞれ、シャーシ１の内底面１ａの上面１ｅに取り付けられている。
【００４０】
ここで、本実施形態では、図１および図２に示すように、電源基板２１は、絶縁性を有する樹脂製のホルダ部材４０の内側の上面４０ａ上に図示しないスペーサ部材などを用いて取り付けられており、ホルダ部材４０がシャーシ１の上面１ｅに固定されることによりシャーシ１との電気的な絶縁が図られている。なお、電源基板２１は、本発明の「電子部品」の一例である。
【００４１】
また、本実施形態では、図３に示すように、ホルダ部材４０には、シャーシ１の上面１ｅ（図４参照）と対向する下面４０ｂのＸ２側の一部を外側（図３における紙面手前側（Ｚ２方向））に向かって突出させることにより、ホルダ部材４０と一体的に形成された座部４０ｃおよび４０ｄが設けられている。また、座部４０ｃは、ホルダ部材４０の長手方向（Ｙ方向）に沿った側面部４０ｅから下面４０ｂの内側（Ｙ２側）に所定の距離を隔てた位置に形成されるとともに、座部４０ｄは、側面部４０ｆから下面４０ｂの内側（Ｙ１側）に所定の距離を隔てた位置に形成されている。なお、座部４０ｃおよび４０ｄは、本発明の「第２取付部」の一例である。ここで、側面部４０ｅに近い側に形成された座部４０ｃが、本発明の「一方側取付部」に対応するとともに、側面部４０ｆに近い側に形成された座部４０ｄが、本発明の「他方側取付部」に対応している。
【００４２】
また、座部４０ｃは、図３に示すように、平面的な外形が長丸形状（トラック形状）を有する一方、座部４０ｄは、略円形状の外形を有している。また、座部４０ｃには、ホルダ部材４０をシャーシ１に対してネジ部材５０（図５参照）によりネジ留めする際の取付孔４０ｇと、座部４０ｃからさらにＺ２方向に突出する突起部４０ｈとが形成されている。したがって、座部４０ｃは、取付孔４０ｇと突起部４０ｈとを結ぶ方向（Ｘ方向）に沿って延びた長丸形状（環形状）を有している。なお、取付孔４０ｇおよび突起部４０ｈは、それぞれ、本発明の「第２取付孔」および「位置決め部」の一例である。
【００４３】
また、本実施形態では、ホルダ部材４０の下面４０ｂには、シャーシ１（図４参照）と対向する下面４０ｂの一部を外側（図３における紙面手前側）に向かって直線的に突出させることにより、ホルダ部材４０と一体的に形成されたリブ４１および４２が設けられている。また、リブ４１および４２は、それぞれ、座部４０ｃおよび４０ｄの各々の外縁部領域に沿うように継ぎ目のない環状の状態で形成されている。すなわち、リブ４１は、平面的な外形が座部４０ｃに沿ったＸ方向に延びる長丸形状（トラック形状）を有する一方、リブ４２は、座部４０ｄに沿った略円形状の外形を有している。また、リブ４１および４２は、ホルダ部材４０の樹脂成形時に座部４０ｃ（４０ｄ）と同時に形成されている。ここで、座部４０ｃ（４０ｄ）の外縁部領域とは、ホルダ部材４０の下面４０ｂが平坦面から座部４０ｃ（４０ｄ）に向かって突出し始める領域を示している。なお、リブ４１および４２は、本発明の「支持部」の一例である。また、ホルダ部材４０には、短手方向（Ｘ方向）に沿った一方側（Ｘ１側）の側面部４０ｉから外側（Ｘ１側）に突出する突起部４０ｊ（２箇所）が設けられている。
【００４４】
これにより、ホルダ部材４０をシャーシ１の上面１ｅに固定する際、図５に示すように、まず、ホルダ部材４０をＸ１方向にスライドさせて突起部４０ｊをシャーシ１の後面部１ｄに予め取り付けられたリアプレート３の係合穴部３ｂに挿入した後、座部４０ｃがシャーシ１の絞り部１ｉに対向するとともに、座部４０ｄ（図３参照）がシャーシ１の絞り部１ｊ（図４参照）に対向するように載置しながら、取付孔４０ｇおよび取付孔１ｋを貫通するネジ部材５０を用いて固定することが可能に構成されている。この際、座部４０ｄの突起部４０ｈが、絞り部１ｉの位置決め穴１ｌに嵌めこまれることにより、平面的に見て、取付孔４０ｇと取付孔１ｋとを容易に連通させることが可能に構成されている。なお、取付孔１ｋは、取付孔４０ｇよりも若干内径が小さく形成されており、ホルダ部材４０側から挿入されたネジ部材５０のネジ部が取付孔１ｋの内側面に対してネジ溝を切りながら締め込まれるように構成されている。したがって、ネジ部材５０が締め込まれた状態では、ネジ部材５０の頭部下面が座部４０ｃ（４０ｄ）を押圧することにより、座部４０ｃ（４０ｄ）と絞り部１ｉ（１ｊ）とが完全に当接した状態で締結されるように構成されている。
【００４５】
この際、本実施形態では、座部４０ｃの外縁部領域に設けられたリブ４１のシャーシ１側の先端部４１ａがシャーシ１の上面１ｅに対して下方（Ｚ１方向）に所定の押圧力を有した状態で当接することにより、ホルダ部材４０の下面４０ｂが、シャーシ１の上面１ｅから上方（Ｚ２方向）に離間した状態となって、ホルダ部材４０がリブ４１により支持されるように構成されている。なお、図６に示すように、座部４０ｄの外縁部領域に設けられたリブ４２についても同様に、リブ４２のシャーシ１側の先端部４２ａがシャーシ１の上面１ｅに対して下方（Ｚ１方向）に所定の押圧力を有した状態で当接することにより、ホルダ部材４０は、リブ４２によっても支持されるように構成されている。すなわち、ホルダ部材４０は、リブ４１（４２）がシャーシ１の上面１ｅから常に上方（Ｚ２方向）に反力を受けた状態で、座部４０ｃ（４０ｄ）により保持されている。これにより、ホルダ部材４０は、座部４０ｃ（４０ｄ）と絞り部１ｉ（１ｊ）との接合状態のみならず、リブ４１（４２）とシャーシ１の上面１ｅとの完全な当接状態によって、シャーシ１の上面１ｅ上にがたつくことなく安定して固定されるように構成されている。
【００４６】
なお、ホルダ部材４０は、ネジ部材５０が締め込まれない状態（絞り部１ｉ（１ｊ）と座部４０ｃ（４０ｄ）とを対向させた状態で、シャーシ１の上面１ｅにホルダ部材４０を載置した状態）において、リブ４１（４２）の先端部４１ａ（４２ａ）が上面１ｅに接触するように形成されているのが好ましい。すなわち、この状態において、絞り部１ｉ（１ｊ）の上面と座部４０ｃ（４０ｄ）の下面との間に若干（約０．３ｍｍ以上約０．８ｍｍ以下）の隙間が生じるようにホルダ部材４０（リブ４１および４２の突出長さ）を形成しておくのが好ましい。これにより、ネジ部材５０を締め込むことにより、上記した隙間の消失とともに、リブ４１（４２）の先端部４１ａ（４２ａ）が上面１ｅを所定の押圧力で確実に押圧するように構成されるのが好適である。なお、図５および図６では、便宜的に、ホルダ部材４０の上面４０ａ上に保持される電源基板２１の外形のみを２点鎖線で示している。
【００４７】
また、本実施形態では、図５に示すように、リブ４１のシャーシ１側の先端部４１ａが、シャーシ１の上面１ｅに対して線接触して上面１ｅを下方に押圧した状態で、ホルダ部材４０がリブ４１により支持されるように構成されている。また、リブ４１の先端部４１ａの断面形状が、略円弧形状に形成されることにより、シャーシ１の上面１ｅに対して滑らかに線接触するように構成されている。なお、リブ４２についても、図６に示すように、先端部４２ａの断面形状が、略円弧形状に形成されることにより、シャーシ１の上面１ｅに対して滑らかに線接触しながら上面１ｅを下方に押圧するように構成されている。
【００４８】
また、本実施形態では、ホルダ部材４０のリブ４１（４２）が、座部４０ｃ（４０ｄ）の外縁部領域とＺ方向に対向するシャーシ１の絞り部１ｉ（１ｊ）の外縁部領域の上面に当接することにより、ホルダ部材４０がリブ４１（４２）により支持されるように構成されている（図５および図６参照）。ここで、絞り部１ｉ（１ｊ）の外縁部領域とは、シャーシ１の上面１ｅが平坦面から絞り部１ｉ（１ｊ）に向かって突出し始める領域を示している。
【００４９】
なお、図６では、リブ４２における図２の２０００−２０００線（Ｙ方向）に沿った断面形状を示しているが、リブ４１（図５参照）におけるＹ方向の断面形状についても、図６と略同様である。
【００５０】
本実施形態では、上記のように、ホルダ部材４０が、平面的に見て、ホルダ部材４０の座部４０ｃおよびシャーシ１の絞り部１ｉを取り囲むようにホルダ部材４０と一体的に設けられたリブ４１を含み、リブ４１を、ホルダ部材４０の座部４０ｃがシャーシ１の絞り部１ｉに固定された際、絞り部１ｉの近傍領域においてシャーシ１の上面１ｅを所定の押圧力を有して当接した状態でホルダ部材４０の下面４０ｂが上面１ｅから離間するようにホルダ部材４０を支持し、かつ、平面的に見て、ホルダ部材４０の座部４０ｄおよびシャーシ１の絞り部１ｊを取り囲むようにホルダ部材４０と一体的に設けられたリブ４２を含み、リブ４２を、ホルダ部材４０の座部４０ｄがシャーシ１の絞り部１ｊに固定された際、絞り部１ｊの近傍領域においてシャーシ１の上面１ｅを所定の押圧力を有して当接した状態でホルダ部材４０の下面４０ｂが上面１ｅから離間するようにホルダ部材４０を支持している。これにより、ホルダ部材４０を、座部４０ｃ（４０ｄ）を介してシャーシ１の絞り部１ｉ（１ｊ）に固定するのと同時に、座部４０ｃ（４０ｄ）を取り囲むように設けられたリブ４１（４２）が、対向する絞り部１ｉ（１ｊ）を取り囲みながら絞り部１ｉ（１ｊ）近傍のシャーシ１の上面１ｅと確実に接触した状態となって配置させることができる。すなわち、ホルダ部材４０は、リブ４１（４２）が上面１ｅから常に反力を受けながら座部４０ｃ（４０ｄ）により保持されるので、座部４０ｃ（４０ｄ）およびその周辺領域において、ホルダ部材４０をシャーシ１に対してがたつくことなく固定させることができるとともに、座部４０ｃ（４０ｄ）を固定するネジ部材５０を緩みにくくすることができる。これにより、ホルダ部材４０が、シャーシ１に対する固定箇所およびその近傍領域においてシャーシ１に対してがたつかないので、ディスクプレーヤ１００内に発生する振動に伴い、シャーシ１とホルダ部材４０とのがたつきに起因したビビリ音などが発生するのを抑制することができる。
【００５１】
また、本実施形態では、リブ４１（４２）を、下面４０ｂから下方に直線的に突出するように形成するとともに、平面的に見て、ホルダ部材４０の座部４０ｃ（４０ｄ）を環状に取り囲むように形成し、かつ、リブ４１（４２）がシャーシ１の絞り部１ｉ（１ｊ）の近傍領域を環状に取り囲んだ状態でシャーシ１の上面１ｅを押圧することにより、ホルダ部材４０をリブ４１（４２）により支持するように構成することによって、リブ４１（４２）がホルダ部材４０の座部４０ｃ（４０ｄ）を環状に取り囲んで設けられている分、リブ４１（４２）は、座部４０ｃ（４０ｄ）に対向する絞り部１ｉ（１ｊ）の近傍領域を環状取り囲むようにしてシャーシ１の上面１ｅを押圧しながらホルダ部材４０を支持することができるので、ホルダ部材４０をシャーシ１の底面部１ａ（上面１ｅ）上により安定して固定することができる。
【００５２】
また、本実施形態では、絞り部１ｉ（１ｊ）を、シャーシ１の上面１ｅからホルダ部材４０に向かって突出するように形成し、かつ、シャーシ１の絞り部１ｉ（１ｊ）とホルダ部材４０の座部４０ｃ（４０ｄ）とが当接した状態で、リブ４１（４２）が座部４０ｃ（４０ｄ）と対向する絞り部１ｉ（１ｊ）の外縁部領域を押圧することにより、ホルダ部材４０をリブ４１（４２）により支持するように構成することによって、リブ４１（４２）は、ホルダ部材４０に向かって突出していない絞り部１ｉ（１ｊ）の外縁部領域におけるシャーシ１の平坦な上面１ｅに当接しながら押圧するので、リブ４１（４２）により、ホルダ部材４０を容易にかつ安定してシャーシ１の底面部１ａ（上面１ｅ）上に支持することができる。
【００５３】
また、本実施形態では、リブ４１のシャーシ１側の先端部４１ａが、シャーシ１の上面１ｅに対して線接触した状態でシャーシ１の上面１ｅを押圧し、かつ、リブ４２のシャーシ１側の先端部４２ａが、シャーシ１の上面１ｅに対して線接触した状態でシャーシ１の上面１ｅを押圧することにより、ホルダ部材４０をリブ４１および４２により共に支持するように構成することによって、リブ４１および４２は、シャーシ１の上面１ｅに対して線接触しながらシャーシ１の上面１ｅを押圧することができるので、接触面積が小さくなる分、シャーシ１から伝わる振動を極力抑制することができる。
【００５４】
また、本実施形態では、リブ４１（４２）のシャーシ１側の先端部４１ａ（４２ａ）を、断面形状が略円弧形状に形成してシャーシ１の上面１ｅに対して線接触するように構成することによって、リブ４１（４２）の先端部４１ａ（４２ａ）とシャーシ１の上面１ｅとを滑らかに接触させることができるので、シャーシ１側の振動に起因してリブ４１（４２）の先端部４１ａ（４２ａ）においてビビリ音などが発生するのを容易に抑制することができる。
【００５５】
また、本実施形態では、振動を伴う機器としてのディスク駆動部２３および冷却ファン２８がシャーシ１に取り付けられるとともに、電子部品としての電源基板２１がホルダ部材４０の上面４０ａ上に配置されており、ホルダ部材４０を、シャーシ１のディスク駆動部２３および冷却ファン２８が取り付けられる領域と隣接する領域において、リブ４１（４２）により下面４０ｂがシャーシ１の上面１ｅから離間した状態で支持されるように構成することによって、ディスクプレーヤ１００内において、ホルダ部材４０の近傍領域にディスク駆動部２３および冷却ファン２８が配置されている場合であっても、シャーシ１に対してホルダ部材４０ががたつくことなく固定されるので、このような振動を伴う機器の振動に伴い、シャーシ１とホルダ部材４０とのがたつきに起因したビビリ音などが発生するのを容易に抑制することができる。さらには、ディスク駆動部２３および冷却ファン２８の振動がシャーシ１を介してホルダ部材４０に過剰に伝わるのが抑制されるので、ホルダ部材４０に保持される電源基板２１に振動が伝わるのを抑制することができる。
【００５６】
また、本実施形態では、リブ４１（４２）を、樹脂製のホルダ部材４０の下面４０ｂからシャーシ１に向かって突出するように、ホルダ部材４０と一体的に形成することによって、樹脂成形によりホルダ部材４０を形成する際に、ホルダ部材４０の下面４０ｂから突出するリブ４１（４２）を、座部４０ｃ（４０ｄ）とともに容易に形成することができる。
【００５７】
また、本実施形態では、ホルダ部材４０の座部４０ｃが、取付孔４０ｇの近傍領域に設けられ、ホルダ部材４０の座部４０ｃをシャーシ１の絞り部１ｉにネジ部材５０を用いて取り付ける際に、シャーシ１に対してホルダ部材４０の位置決めを行うための突起部４０ｈを有することによって、ホルダ部材４０の座部４０ｃには、取付孔４０ｇのみならず突起部４０ｈが設けられている分、シャーシ１上の所定の位置に設けられた絞り部１ｉに、ホルダ部材４０を容易に取り付けることができる。
【００５８】
また、本実施形態では、座部４０ｃおよびリブ４１を、平面的に見て、取付孔４０ｇおよび突起部４０ｈを結ぶ方向に沿って延びる環形状（長丸形状）を有するように構成することによって、座部４０ｃに取付孔４０ｇと突起部４０ｈとが設けられている場合であっても、その分、平面形状（平面積）が大きく確保された座部４０ｃを取り囲むような環形状を有するリブ４１が形成されているので、リブ４１により、ホルダ部材４０をより確実に支持することができる。
【００５９】
また、本実施形態では、ホルダ部材４０が、下面４０ｂの一方側（Ｙ１側）の端部に近い領域に設けられた座部４０ｃと、下面４０ｂの他方側（Ｙ２側）の端部に近い領域に設けられた座部４０ｄとを有した状態で、リブ４１を座部４０ｃの近傍領域に設けるとともに、リブ４２を座部４０ｄの近傍領域に設けることによって、ホルダ部材４０は、複数の座部４０ｃおよび４０ｄの各々に対応して設けられたリブ４１および４２によって支持されるので、ホルダ部材４０が長手方向（Ｙ方向）に沿って延びるような平面形状を有している場合であっても、ホルダ部材４０をシャーシ１の底面部１ａ（上面１ｅ）上に安定して固定することができる。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記実施形態では、本発明の「第２取付部」としての座部４０ｃ（４０ｄ）が、ホルダ部材４０の下面４０ｂからシャーシ１に向かって突出するように形成された例について示したが、本発明はこれに限られない。本発明では、シャーシ１に向かって突出しない「第２取付部」に対してシャーシ１の絞り部１ｉ（１ｊ）が取り付けられた状態で、ホルダ部材４０のリブ４１（４２）がシャーシ１の上面１ｅに当接することにより、ホルダ部材４０を支持するように構成されていてもよい。
【００６２】
また、上記実施形態では、本発明の「第１取付部」としての絞り部１ｉ（１ｊ）が、シャーシ１の上面１ｅからホルダ部材４０に向かって突出するように形成された例について示したが、本発明はこれに限られない。本発明では、ホルダ部材４０に向かって突出しない「第１取付部」に対してホルダ部材４０の座部４０ｃ（４０ｄ）が取り付けられた状態で、ホルダ部材４０のリブ４１（４２）がシャーシ１の上面１ｅに当接することにより、ホルダ部材４０を支持するように構成されていてもよい。
【００６３】
また、上記実施形態では、ホルダ部材４０に、本発明の「第２取付部」および「支持部」を２組（２箇所）設けた例について示したが、本発明はこれに限られない。本発明では、「第２取付部」および「支持部」を１箇所または３箇所以上に設けるように構成してもよい。
【００６４】
また、上記実施形態では、ホルダ部材４０の座部４０ｃに、シャーシ１の位置決め穴１ｌに嵌め込まれる位置決め用の突起部４０ｈを設けた例について示したが、本発明はこれに限られない。本発明では、座部４０ｃに座部４０ｄと同様に突起部４０ｈを設けていなくてもよい。このように構成しても、ホルダ部材４０をシャーシ１に取り付ける際、環状に形成されたリブ４１の先端部４１ａが、シャーシ１の絞り部１ｉの外縁部領域を環状に囲みながらシャーシ１の上面１ｅに当接するので、平面的に見て、取付孔４０ｇと取付孔１ｋとを容易に連通させてネジ部材５０を挿入することができる。
【００６５】
また、上記実施形態では、ホルダ部材４０のリブ４１を、座部４０ｃの外縁部領域に沿わせながら継ぎ目のない環状（長丸形状）の状態に形成した例について示したが、本発明はこれに限られない。本発明では、図８に示す第１変形例のように、平面的に見て、座部４０ｃの延びる方向に延ばされた略矩形状の輪郭を有するリブ４５を座部４０ｃの外縁部領域に形成してもよい。
【００６６】
また、上記実施形態では、ホルダ部材４０のリブ４１および４２を、それぞれ、座部４０ｃおよび４０ｄの各々の外縁部領域に沿わせながら継ぎ目のない環状の状態に形成した例について示したが、本発明はこれに限られない。本発明では、図９に示す第２変形例のように、座部４０ｃの外縁部領域に、平面的に見て、座部４０ｃを取り囲むように略Ｃ字形状の輪郭を有するリブ４６を形成してもよい。すなわち、継ぎ目のない環状のリブ４１（４２）の代わりに、ホルダ部材４０の下面４０ｂに、リブの一部が欠損したようなリブ４６が形成されていてもよい。
【００６７】
また、上記第２変形例では、略Ｃ字状の輪郭を有するリブ４６を形成する例について示したが、本発明はこれに限られない。本発明では、図１０に示す第３変形例のように、座部４０ｃの外縁部領域に、平面的に見て、所定の間隔を隔てて座部４０ｃを取り囲むように破線状に形成されたリブ４７を複数（図１０では８つ）設けるようにしてもよい。
【００６８】
また、上記実施形態では、シャーシ１に対してホルダ部材４０をネジ部材５０を用いて固定する際、シャーシ１の絞り部１ｉ（１ｊ）と、ホルダ部材４０の座部４０ｃ（４０ｄ）とを完全に当接させた状態でネジ部材５０により固定した例について示したが、本発明はこれに限られない。本発明では、図１１に示す第４変形例のように、シャーシ１の絞り部１ｍとホルダ部材４０の座部４０ｃとが若干の隙間Ｓを有した状態でネジ部材５１により締結されていてもよい。この場合、ネジ部材５１の適切な締め込みにより、絞り部１ｍと座部４０ｃとに隙間が生じていても、リブ４１の先端部４１ａがシャーシ１の上面１ｅに所定の押圧力を有して当接していれば、ホルダ部材４０をリブ４１によりシャーシ１の上面１ｅ上に確実に支持することが可能であり、ホルダ部材４０をがたつくことなくシャーシ１に固定することができる。なお、絞り部１ｍは、本発明の「第１取付部」の一例である。
【００６９】
また、上記実施形態では、シャーシ１に対してホルダ部材４０をネジ部材５０を用いて固定した例について示したが、本発明はこれに限られない。本発明では、図１２に示す第５変形例のように、シャーシ１（絞り部１ｍ）とホルダ部材４０（座部４０ｃ）とが、たとえば接着剤５２などを介して接合されるように構成してもよい。
【００７０】
また、上記実施形態では、金属製のシャーシ１に、樹脂製のホルダ部材４０を介して電源基板２１が設けられた例について示したが、本発明はこれに限られない。本発明では、樹脂製のシャーシに、予め絶縁対策が施された電源基板が取り付けられた金属製（板金製）のボルダ部材を固定するようにしてもよい。この際、本発明の「第２取付部」および「支持部」を、板金のプレス絞り加工や切起こし加工などを用いてボルダ部材と一体的に形成するのが好ましい。
【００７１】
また、上記実施形態では、本発明の「電子機器」の一例としてのディスクプレーヤ１００に本発明を適用した例について示したが、本発明はこれに限られない。すなわち、シャーシを備えた電子機器であれば、ディスクプレーヤ１００以外の、たとえば振動を発するディスク駆動部を備えた情報処理装置（ＰＣ）およびＨＤＤレコーダなどや、冷却ファンが搭載されたプロジェクタ装置（光源装置）などに本発明を適用してもよいし、ＤＶＤレコーダやＨＤＤレコーダなどが搭載されたＴＶ装置（表示装置）などに本発明を適用してもよい。あるいは、比較的振動を発しない電子部品などによって主に構成されたＡＶアンプなどの電子機器や、他の複数の電子機器を接続してＡＶ機器ネットワークを構成するためのセットトップボックス（信号変換装置）などの電子機器に、本発明を適用してもよい。
【符号の説明】
【００７２】
１  シャーシ
１ｅ  上面（シャーシの上面）
１ｉ、１ｊ、１ｍ  絞り部（第１取付部）
１ｋ  取付孔（第１取付孔）
２１  電源基板（電子部品）
２３  ディスク駆動部（振動を伴う機器）
２８  冷却ファン（振動を伴う機器）
２９  電子部品
４０  ホルダ部材
４０ａ  上面（ホルダ部材の上面）
４０ｂ  下面（ホルダ部材の下面）
４０ｃ  座部（第２取付部、一方側取付部）
４０ｄ  座部（第２取付部、他方側取付部）
４０ｇ  取付孔（第２取付孔）
４０ｈ  突起部（位置決め部）
４１、４２、４５、４６、４７  リブ（支持部）
４１ａ、４２ａ  先端部（シャーシ側の先端部）
５０、５１  ネジ部材
１００  ディスクプレーヤ（電子機器）
【図１】
2011154753.tif 000003
【図２】
2011154753.tif 000004
【図３】
2011154753.tif 000005
【図４】
2011154753.tif 000006
【図５】
2011154753.tif 000007
【図６】
2011154753.tif 000008
【図７】
2011154753.tif 000009
【図８】
2011154753.tif 000010
【図９】
2011154753.tif 000011
【図１０】
2011154753.tif 000012
【図１１】
2011154753.tif 000013
【図１２】
2011154753.tif 000014